(57)【特許請求の範囲】
【請求項１】
鉛直部（１６ｄ）が形成され、上端が建物の屋根又は屋上に落下した雨水（１５）を受ける雨水流路（１１）に接続され、下端が下水道管渠に連通する集水桝（１４）に接続された外管（１６）と；
上部の外周面が前記鉛直部（１６ｄ）の内周面と所定の間隔をおいて配置され、下端が雨水（１５）の貯留浸透桝（１７）又は貯留槽のいずれか一方又は双方に接続された内管（１８）と；
前記内管（１８）の上端より所定の距離だけ上方の前記外管（１６）の鉛直部（１６ｄ）の内周面に設けられたリング状の分流具（２４）と
を備えた流下雨水の分流管（１３）であって；
前記分流具（２４）が、
前記外管（１６）の鉛直部（１６ｄ）の内周面に沿って流下した雨水（１５）を受けるリング状の凹溝（２４ａ）と、
前記凹溝（２４ａ）の底部に周方向に並んで形成され前記凹溝（２４ａ）内の雨水（１５）を前記集水桝（１４）に導く複数の通孔（２４ｂ）と、
下方に向うに従って内径が小さくなるテーパ状に形成され前記凹溝（２４ａ）からあふれた雨水（１５）を前記内管（１８）に導く内周壁（２４ｃ）と
を備えたことを特徴とする流下雨水の分流管。
【請求項２】
鉛直部（１６ｄ）が形成され、上端が建物の屋根又は屋上に落下した雨水（１５）を受ける雨水流路に接続され、下端が下水道管渠に連通する集水桝に接続された外管（１６）と；
上部の外周面が前記鉛直部（１６ｄ）の内周面と所定の間隔をおいて配置され、下端が雨水（１５）の貯留浸透桝又は貯留槽のいずれか一方又は双方に接続された内管（１８）と；
前記内管（１８）の上端より所定の距離だけ上方の前記外管（１６）の鉛直部（１６ｄ）の内周面に設けられたリング状の突起（５１）と
を備えた流下雨水の分流管（５３）であって；
前記内管（１８）の上端より上方かつ前記突起（５１）より下方の前記外管（１６）の鉛直部（１６ｄ）の内周面にリング状の分流具（２４）が設けられ；
前記分流具（２４）が、
前記外管（１）の鉛直部（１６ｄ）の内周面に沿って流下した雨水（１５）を受けるリング状の凹溝（２４ａ）と、
前記凹溝（２４ａ）の底部に周方向に並んで形成され前記凹溝（２４ａ）内の雨水（１５）を前記集水桝に導く複数の通孔（２４ｂ）と、
下方に向うに従って内径が小さくなるテーパ状に形成され前記凹溝（２４ａ）からあふれた雨水（１５）を前記内管（１８）に導く内周壁（２４ｃ）と
を備えたことを特徴とする流下雨水の分流管。
【請求項３】
分流具（２４）に通孔（２４ｂ）を周方向に横切るスリット（２４ｄ）が形成され、前記スリット（２４ｄ）に前記通孔（２４ｂ）の開孔率を調整可能な調整リング（２６）が回動可能に挿入された請求項１又は２記載の流下雨水の分流管。
【請求項４】
分流具（２４）又は突起（５１）の上方の外管（１６）内に前記外管（１６）の内周面から隙間をあけて整流具（２７）が設けられ、前記整流具（２７）が雨水流路（１１）から前記外管（１６）に流入した雨水（１５）を前記外管（１６）の内周面に付着して流下させるように構成された請求項１ないし３いずれか記載の流下雨水の分流管。
【請求項５】
鉛直部（１６ｄ）が形成され、上端が建物の屋根又は屋上に落下した雨水（１５）を受ける雨水流路に接続され、下端が下水道管渠に連通する集水桝に接続された外管（１６）と；
上部の外周面が前記鉛直部（１６ｄ）の内周面と所定の間隔をおいて配置され、下端が雨水（１５）の貯留浸透桝又は貯留槽のいずれか一方又は双方に接続された内管（１８）と；
前記内管（１８）の上端より所定の距離だけ上方の前記外管（１６）の鉛直部（１６ｄ）の内周面に設けられたリング状の突起（５１）と
を備えた流下雨水の分流管（７３）であって；
前記突起（５１）の上方の前記外管（１６）内に前記外管（１６）の内周面から隙間をあけて整流具（２７）が設けられ；
前記整流具（２７）が前記雨水流路から前記外管（１６）に流入した雨水（１５）を前記外管（１６）の内周面に付着して流下させるように構成された
ことを特徴とする流下雨水の分流管。
【発明の詳細な説明】
【０００１】
【産業上の利用分野】
本発明は建物の屋根又は屋上に落下した雨水を下水道管渠に流下する雨水と貯留浸透桝又は貯留槽に貯留する雨水とに分流させる分流管に関するものである。
【０００２】
【従来の技術】
このような雨水の分流管として、本発明者の一人は外管とこの外管の中に設けられる内管とからなる流下雨水の分水管を特許出願した（特開昭６４−８３７３８）。この外管には鉛直部が形成され、外管の上端は雨樋に接続される。外管の下端は下水道管渠に連通する集水桝に接続される。内管の上端の外周縁は上記鉛直部の内周面と所定の間隔をおいて配置される。内管の下端は雨水の貯留浸透桝に接続される。この分水管では外管の鉛直部の一部の内径が連続的に変化して形成され、内管の上部の位置を上下方向に移動して上記所定の間隔を調整可能に構成される。内管の上端近傍の外管には開口部が設けられ、この開口部には開閉可能な蓋が設けられる。
【０００３】
この分水管では、雨樋から流下する雨水は外管の鉛直部の内周面に付着したまま層状に流下する。降雨強度（ｍｍ／時）が下水道管渠及び河川の流下能力を越えない中小規模の降雨時には、鉛直部の内周面上を流下する雨水の層の厚みは内筒上端の外周縁と鉛直部の内周面との間隔より小さいため、外管のみに流下し集水桝を経由して下水道管渠に流れ、内管には流れない。
降雨強度が下水道管渠等の流下能力を越える大規模の降雨時には、鉛直部の内周面上を流下する雨水の層の厚みは上記間隔より大きくなるため、内管にも雨水が流下する。貯留浸透桝に流込んだ雨水は一旦この桝に貯留された後、地中に浸透して拡散される。
この結果、下水道管渠や河川の流下能力を越える降雨強度の時に限り雨樋からの雨水を貯留浸透桝に分流でき、簡単な構造で既存の雨樋の僅かなスペースに設置でき、かつ雨樋から入込む砂や微細な塵埃を除去して貯留浸透桝の目詰まりを防止できるようになっている。
【０００４】
【発明が解決しようとする課題】
しかし、上記流下雨水の分水管の外管に例えば面積が５０ｍ２の屋根の雨樋を実際に接続し、この屋根に１０ｍｍ／時程度の通常の降雨強度で雨が降ったときの外管の下端での流速及び雨水流の厚みを測定すると、流速は２〜３ｍ／秒前後となり、外管の内周面に付着したまま流下する雨水の層の厚みは０．５ｍｍ程度であった。このため、内管の上部の位置を上下方向に移動させることにより外管の鉛直部内径との間隔を調整して外管の内周面に付着した雨水流を分けようとしても、雨水の層の厚みが小さいため所望の流量ずつに分けることが難しい問題点があった。
【０００５】
本発明の目的は、降雨初期の小雨時には屋根や屋上に積もった砂や塵埃を多く含む雨水を下水道管渠に流すことにより貯留浸透桝の目詰まりや貯留槽の汚染を防止でき、降雨強度により自動的に下水道管渠と貯留浸透桝又は貯留槽とに分流でき、かつ下水道管渠や河川へのそれらの流下能力を越える雨水の流入を防止できる流下雨水の分流管を提供することにある。
また本発明の別の目的は、屋根や屋上に積もった砂や塵埃が下水道管渠に流れた後も小雨が降り続いた場合にこの雨水を貯留浸透桝又は貯留槽に導くことができ、また雨水流路と分流管との距離が短くても雨水を外管の内周面に付着させて確実に雨水を分流できる流下雨水の分流管を提供することにある。
【０００６】
【課題を解決するための手段】
上記目的を達成するための本発明の構成を、実施例に対応する図１、図５、図６及び図７を用いて説明する。
本発明の第１の流下雨水の分流管１３は、図１及び図５に示すように鉛直部１６ｄが形成され、上端が建物の屋根又は屋上に落下した雨水１５を受ける雨水流路１１に接続され、下端が下水道管渠に連通する集水桝１４に接続された外管１６と；上部の外周面が鉛直部１６ｄの内周面と所定の間隔をおいて配置され、下端が雨水１５の貯留浸透桝１７又は貯留槽のいずれか一方又は双方に接続された内管１８と；内管１８の上端より所定の距離だけ上方の外管１６の鉛直部１６ｄの内周面に設けられたリング状の分流具２４とを備えたものである。
その特徴ある構成は、分流具２４が外管１６の鉛直部１６ｄの内周面に沿って流下した雨水１５を受けるリング状の凹溝２４ａと、凹溝２４ａの底部に周方向に並んで形成され凹溝２４ａ内の雨水１５を集水桝１４に導く複数の通孔２４ｂと、下方に向うに従って内径が小さくなるテーパ状に形成され凹溝２４ａからあふれた雨水１５を内管１８に導く内周壁２４ｃとを備えたところにある。
【０００７】
本発明の第２の流下雨水の分流管５３は、図６に示すように鉛直部１６ｄが形成され、上端が建物の屋根又は屋上に落下した雨水１５を受ける雨水流路１１に接続され、下端が下水道管渠に連通する集水桝に接続された外管１６と；上部の外周面が鉛直部１６ｄの内周面と所定の間隔をおいて配置され、下端が雨水１５の貯留浸透桝又は貯留槽のいずれか一方又は双方に接続された内管１８と；内管１８の上端より所定の距離だけ上方の外管１６の鉛直部１６ｄの内周面に設けられたリング状の突起５１とを備えたものである。
その特徴ある構成は、内管１８の上端より上方かつ突起５１より下方の外管１６の鉛直部１６ｄの内周面にリング状の分流具２４が設けられ；分流具２４が外管１６の鉛直部１６ｄの内周面に沿って流下した雨水１５を受けるリング状の凹溝２４ａと、凹溝２４ａの底部に周方向に並んで形成され凹溝２４ａ内の雨水１５を集水桝に導く複数の通孔２４ｂと、下方に向うに従って内径が小さくなるテーパ状に形成され凹溝２４ａからあふれた雨水１５を内管１６に導く内周壁２４ｃとを備えたところにある。
【０００８】
また、図１又は図６に示すように分流具２４に通孔２４ｂを周方向に横切るスリット２４ｄを形成し、スリット２４ｄに通孔２４ｂの開孔率を調整可能な調整リング２６を回動可能に挿入することが好ましい。
また、図１、図６又は図７に示すように分流具２４又は突起５１の上方の外管１６内に外管１６の内周面から隙間をあけて整流具２７を設け、整流具２７が雨水流路１１から外管１６に流入した雨水１５を外管１６の内周面に付着して流下させるように構成することもできる。
【０００９】
更に、本発明の第３の流下雨水の分流管７３は、図７に示すように鉛直部１６ｄが形成され、上端が建物の屋根又は屋上に落下した雨水１５を受ける雨水流路に接続され、下端が下水道管渠に連通する集水桝に接続された外管１６と；上部の外周面が鉛直部１６ｄの内周面と所定の間隔をおいて配置され、下端が雨水１５の貯留浸透桝又は貯留槽のいずれか一方又は双方に接続された内管１８と；内管１８の上端より所定の距離だけ上方の外管１６の鉛直部１６ｄの内周面に設けられたリング状の突起５１とを備えたものである。
その特徴ある構成は、突起５１の上方の外管１６内に外管１６の内周面から隙間をあけて整流具２７が設けられ；整流具２７が雨水流路から外管１６に流入した雨水１５を外管１６の内周面に付着して流下させるように構成されたところにある。
【００１０】
【作用】
図１及び図５に示される分流管１３では、降雨初期の小雨時には雨水１５は屋根に積もった砂や塵埃とともに雨水流路１１から分流管１３内に、自然に或いは整流具２７により整流され外管１６の付着流となって流下する。この雨水１５は流量が少ないので、全て通孔２４ｂ及び集水桝１４を経由して下水道管渠に流入する。
中雨になると、分流管１３に流入した比較的清浄な雨水１５は、通孔２４ｂを通過する雨水１５と、凹溝２４ａからあふれて内周壁２４ｃを伝わって内管１８に流入する雨水１５とに分流される。通孔２４ｂを通過した雨水１５は集水桝１４を通って下水道管渠に流入し、内管１８に流入した雨水１５は貯留浸透桝１７に貯留される。
また降雨強度が大きくならず小雨が降り続けたときには、調整リング２６を操作して通孔２４ｂの開孔率を小さくすることにより、凹溝２４ａから雨水１５があふれて内管１８に流入する。
【００１１】
図６に示される分流管５３では、降雨初期の小雨時には雨水１５は屋根に積もった砂や塵埃とともに雨水流路から分流管５３に、自然に或いは整流具２７により整流され外管１６の付着流となって流下し、更に突起５１を乗越えた後も外管１６の付着流となったまま流下し、通孔２４ｂ及び集水桝を経由して下水道管渠に流入する。
中雨になると、分流管５３に流入した雨水１５は突起５１を乗越えても外管１６の内周面に付着したまま流下する一定量の付着流と、突起５１でジャンプして外管１６の内周面から離脱し内管１８に流入する離脱流とに分流される。突起５１を越えても付着流となった雨水１５は通孔２４ｂ及び集水桝を通って下水道管渠に流入するものと、凹溝２４ａからあふれて内管１８に流入するものとに更に分流される。離脱流となった雨水１５は内管１８を通って貯留浸透桝に一端貯留される。
更に降雨強度が大きくなって豪雨になると、分流管５３に流入した雨水１５は全て突起５１でジャンプして鉛直部１６ｄの内周面から離脱し、内管１８を通って貯留浸透桝に一端貯留される。
【００１２】
【実施例】
次に本発明の第１実施例を図面に基づいて詳しく説明する。
図１〜図５に示すように、雨樋１１は建物の屋根の周縁に沿って設けられ、屋根に落下した雨水１５を受ける。雨樋１１の下面にはこの雨樋１１と一体的に鉛直方向下向きに短管１２が設けられ、この短管１２には比較的短い第１パイプ２１を介して分流管１３が接続される。分流管１３は上端が第１パイプ２１の下端に接続され下端側部が第２パイプ２２を介して集水桝１４に接続された外管１６と、上部が外管１６の下面からこの外管１６の内部に挿入され下端が第３パイプ２３を介して貯留浸透桝１７に接続された内管１８とを備える（図５）。分流管１３はこの例では塩化ビニール樹脂により形成される。
【００１３】
図１に詳しく示すように、外管１６は上端が上記第１パイプ２１の下端に接続された上部ケース１６ａと、上端が上部ケース１６ａの下端に接続され下端が第３パイプ２３に接続された下部ケース１６ｂとを有する。下部ケース１６ｂの下端側部には水平管１６ｃが突設され、この水平管１６ｃに第２パイプ２２の上端が接続される。上部ケース１６ａと、水平管１６ｃを除く下部ケース１６ｂとにより外管１６の鉛直部１６ｄが形成される。内管１８は下部ケース１６ｂと一体的に形成された内管本体１８ａと、上方に向うに従って末広がりに形成され内管本体１８ａの上端に挿着された漏斗１８ｂとを有する。内管本体１８ａは下部ケース１６ｂ内に位置する内管本体１８ａの上部外周面が外管１６の鉛直部１６ｄ内周面と所定の間隔をおいて配置される。即ち内管本体１８ａの中心線を鉛直部１６ｄの中心線に一致させ、内管本体１８ａ上部の外径が鉛直部１６ｄの内径より小さく形成される。本明細書にて内管１８の上端という場合には、内管本体１８ａの上端に挿着された漏斗１８ｂの上端をいうものとする。
【００１４】
内管１８の上端より所定の距離だけ上方の外管１６の鉛直部１６ｄの内周面にはリング状の分流具２４が挿着される。分流具２４はその上面に形成されたリング状の凹溝２４ａと（図１）、凹溝２４ａの底部に周方向に並んで形成された複数の通孔２４ｂと（図１及び図２）、下方に向うに従って内径が小さくなるテーパ状に形成された内周壁２４ｃ（図１）とを備える。凹溝２４ａは外管１６の鉛直部１６ｄの内周面に沿って流下した雨水１５を受け、複数の通孔２４ｂは凹溝２４ａ内の雨水１５を集水桝１４に導き、更に内周壁２４ｃは凹溝２４ａからあふれた雨水１５を内管１８に導くようになっている。複数の通孔２４ｂはこの例では６個の円弧状の通孔であり、これらの通孔２４ｂは凹溝２４ａに沿って所定の間隔をあけて並んで形成される（図２）。
【００１５】
上記分流具２４には通孔２４ｂを周方向に横切るスリット２４ｄが形成され、このスリット２４ｄにより分流具２４は上下に２分割される。このスリット２４ｄには調整リング２６が回動可能に挿入される（図１）。調整リング２６は上記６個の通孔２４ｂと同形同大の６個の透孔２６ａと、外周面から外管１６の外側に突設された一対の操作レバー２６ｂ，２６ｂとを備える（図１及び図２）。一対の操作レバー２６ｂ，２６ｂは外管１６にその周方向に延びて形成された一対のレバー溝１６ｅ，１６ｅから外側に突出し、操作レバー２６ｂをレバー溝１６ｅの一方の端部に当接させると透孔２６ａが通孔２４ｂに一致して通孔２４ｂの開孔率が１００％となり、操作レバー２６ｂをレバー溝１６ｅの他方の端部に当接させると透孔２６ａが通孔２４ｂに全く一致せず通孔２４ｂの開孔率が０％となるようになっている。上下に分割された分流具２４は上下に分割された通孔２４ｂがずれないように接着剤又はビス（図示せず）等により外管１６に固定される。
【００１６】
また、分流具２４の上方の外管１６内には外管１６の内周面から隙間をあけて整流具２７が設けられる。整流具２７は比較的容易に撓む軟質のゴム板により形成された整流具本体２８と、整流具本体２８を支持する支持具２９とを備える（図１、図３及び図４）。整流具本体２８には所定の角度毎に半径方向に延びる切込み２８ａが形成される（図３）。支持具２９は整流具本体２８の中心を保持する軸２９ａと、軸２９ａを４本の十字状のリブ２９ｂ（図４）を介して保持する保持リング２９ｃとを備える。保持リング２９ｃは外管１６の内周面に形成されたリング溝１６ｆに挿着される。整流具２７は雨樋１１から外管１６に流入した雨水１５を外管１６の内周面に付着して流下させるようになっている。また集水桝１４及び貯留浸透桝１７はそれぞれ地中に埋設される。集水桝１４は図外の下水道管渠に接続され、貯留浸透桝１７の下面にはこの浸透桝１７に貯留された雨水１５を浸透し易くするために比較的粒子径の大きい砂利や土３０が配置される（図５）。
【００１７】
このように構成された流下雨水の分流管の動作を説明する。
降雨初期の小雨時には、雨水１５は屋根（図示せず）に積もった砂や塵埃とともに雨樋１１から短管１２及び第１パイプ２１内を流下する。このとき雨水１５は第１パイプ２１が比較的短いため、第１パイプ２１に付着せずに第１パイプ２１の中央を通って流下するが、図１の実線矢印で示すように整流具２７の上面に落下してこの整流具２７により外管１６の内周面に導かれ、外管１６の内周面に付着する付着流となって層状に流下する。この外管１６の付着流となった雨水１５は分流具２４の凹溝２４ａに貯まるが、雨水１５流量が少ないので、全ての雨水１５が図１の破線矢印及び図５の破線矢印で示すように通孔２４ｂ、水平管１６ｃ、第２パイプ２２及び集水桝１４を経由して下水道管渠（図示せず）に流入する。この結果、砂や塵埃を多く含む雨水１５は外管１６のみに流れて内管１８には流れないので、貯留浸透桝１７下面の土３０粒子の間隙が雨水１５に含まれる砂や塵埃により目詰まりすることはない。また下水道管渠への単位時間当りの雨水１５の流入量は降雨強度が大きくなるに従って増大する。
【００１８】
降雨強度が大きくなって中雨になると、分流管１３に流入した雨水１５は、図１の破線矢印で示すように通孔２４ｂを通過する雨水１５と、二点鎖線矢印で示すように凹溝２４ａからあふれて内周壁を伝わって内管１８に流入する雨水１５とに分流される。通孔２４ｂを通過した雨水１５は図５の破線矢印で示すように水平管１６ｃ、第２パイプ２２及び集水桝１４を通って下水道管渠に流入し、内管１８に流入した雨水１５は二点鎖線矢印で示すように第３パイプ２３を通って貯留浸透桝１７に一旦貯留される。またこれらの雨水１５は殆ど砂や塵埃を含まず比較的清浄であるので、貯留浸透桝１７下面の土３０粒子の間隙が目詰まりすることはなく、貯留浸透桝１７に貯留された雨水１５はこの浸透桝１７の下面の土３０に浸透して地下水となる。また下水道管渠への単位時間当りの雨水１５の流入量は降雨強度が大きくなっても殆ど変化しない。
【００１９】
また降雨強度が大きくならず小雨が降り続けたときには、調整リング２６の操作レバー２６ｂを操作して通孔２４ｂの開孔率を小さくする。この結果、小雨であっても凹溝２４ａから雨水１５があふれて内管１８に流入し、砂や塵埃を殆ど含まない比較的清浄な雨水１５が貯留浸透桝１７に一端貯留される。
【００２０】
図６は本発明の第２実施例を示す。図６において図１と同一符号は同一部品を示す。
この例では分流管５３の内管１８の上端より所定の距離だけ上方の外管１６の内周面にはリング状の突起５１が挿入され、内管１８の上端より上方かつ突起５１より下方の外管１６の鉛直部１６ｄの内周面に上記第１実施例と同一のリング状の分流具２４が設けられる。突起５１はその上面と外管１６の内周面とのなす角度θが１２０度に形成され、下面と外管１６の内周面とのなす角度αが１２０度に形成され、突起５１の断面の外形が略三角形状に形成される。この場合、突起５１の先端の角度βは６０度となる。突起５１の先端は凸状曲面に形成される。上記θ＝１２０度の角度は建物が密集しかつ舗装された道路の多い地域において治水対策を重視する場合に適する。また第１実施例と同様に分流具２４にはスリット２４ｄが形成され、このスリット２４ｄには調整リング２６が回動可能に挿入され、更に突起５１の上方には整流具２７が設けられる。
【００２１】
このように構成された流下雨水の分流管の動作を説明する。
降雨初期の小雨時には、雨水１５は屋根（図示せず）に積もった砂や塵埃とともに雨樋（図示せず）から短管（図示せず）及び第１パイプ２１を通って分流管５３に流入し、整流具２７により整流され外管１６の付着流となって層状に流下する。この雨水１５は外管１６の内周面の突起５１を乗越えた後も実線矢印で示すように鉛直部１６ｄの内周面上に付着したまま層状に流下し、分流具２４の通孔２４ａ、水平管１６ｃ、第２パイプ２２及び集水桝（図示せず）を経由して下水道管渠（図示せず）に流入する。
【００２２】
降雨強度が大きくなって中雨になると、分流管５３に流入した雨水１５は、実線矢印で示すように突起５１を乗越えても鉛直部１６ｄ内周面に付着したまま流下する一定量の付着流と、破線矢印で示すように突起５１でジャンプして鉛直部１６ｄの内周面から離脱し内管１８に流入する離脱流とに分流される。突起５１を越えても付着流となった雨水１５は実線矢印で示すように分流具２４の通孔２４ｂ、水平管１６ｃ、第２パイプ２２及び集水桝を通って下水道管渠に流入するものと、二点鎖線矢印で示すように分流具２４の凹部２４ａからあふれて内管１８に流入するものとに分流される。突起５１にて離脱流となった雨水１５は内管１８及び第３パイプ２３を通って貯留浸透桝（図示せず）に一旦貯留される。
【００２３】
降雨強度が更に大きくなって豪雨になると、分流管５３に流入した雨水１５は全て突起５１でジャンプして鉛直部１６ｄの内周面から離脱し、内管１８にスムーズに流入する。この雨水１５は貯留浸透桝に一旦貯留され、この浸透桝の下面の土に浸透して地下水となる。この結果、建物の屋根に落下した雨水１５は下水道管渠に全く流入せず、下水道管渠への単位時間当りの雨水１５の流入量は急激に減少するので、下水道管渠への単位時間当りの雨水１５の流入量はその流下能力を越えない。
【００２４】
図７は本発明の第３実施例を示す。図７において図６と同一符号は同一部品を示す。
この例では分流管７３の内管１８の上端より所定の距離だけ上方の外管１６の鉛直部１６ｄの内周面に上記第２実施例と同一のリング状の突起５１が設けられ、突起５１の上方の外管１６内に外管１６の内周面から隙間をあけて上記第１及び第２実施例と同一の整流具２７が設けられる。
このように構成された流下雨水の分流管の動作は、上記第２実施例の分流具がない場合と略同様であるので、繰返しの説明を省略する。
【００２５】
なお、上記第１実施例では内管の下端を第３パイプを介して貯留浸透桝に接続したが、これは一例であって内管の下端を第３パイプを介して貯留槽に接続してもよい。鉛直方向に複数段積重ねられた貯留槽を用いる場合、これらの貯留槽をオーバフローパイプ及び供給パイプにより連通し、供給パイプに逆止弁を設けることにより、雨水が最上段の貯留槽から順に貯まり、かつ貯留槽に貯まった雨水を庭への散水、自動車の洗浄用水、トイレ用水等の雑用水として利用するときに最上段の貯留槽から使用される。この結果、貯留槽に貯まった雨水の位置エネルギを有効に利用できる。また最下段の貯留槽のオーバフローパイプを貯留浸透桝に接続することにより、雨水を更に有効に利用できる。
また、上記第１〜第３実施例では、第１パイプが比較的短いため、分流具又は突起の上方の外管内に整流具を設け、この整流具により外管に流入した雨水を外管の内周面に付着させたが、第１パイプを十分に長くできれば、雨水は自然に外管の内周面に付着するので、整流具は不要になる。
【００２６】
また、上記第２及び第３実施例では突起の上下面と外管の鉛直部の内周面とのなす角度θ及びαをそれぞれ１２０度とし、これにより建物が密集しかつ舗装された道路の多い地域において治水対策を重視するようにしたが、突起の形状はこれに限らず地下水の涵養や雨水の雑用水としての利用を主たる目的とする場合には、角度θ及びαをそれぞれ９０度とし、この突起の先端を凸状曲面に形成してもよい。このように構成された突起では、降雨強度が中雨程度になると分流管に流入した雨水の大部分が突起でジャンプして鉛直部の内周面から離脱し、内管を通って貯留浸透桝又は貯留槽に貯留される。この結果、貯留浸透桝に貯留された雨水は土に浸透して地下水を涵養し、貯留槽に貯留された雨水は雑用水として利用できる。また本発明の角度θ及びαは上記角度に限定されるものではなく、角度θは地域総面積に対する建物や舗装道路の面積の割合又はその地域の地形等によって適宜変えることができ、治水対策を重視するときには角度θは大きく、また地下水の涵養や雨水の雑用水としての利用を重視するときには角度θは小さく決められる。
【００２７】
また、上記実施例では雨水流路として建物の屋根の周縁に設けられた雨樋を挙げたが、これに限らずビルの屋上の周縁に設けられた雨水用凹溝でもよい。
更に、上記実施例では内管の上端に漏斗を挿着したが、突起でジャンプして離脱した雨水が漏斗がなくても内管に流入できれば、漏斗は不要になる。
【００２８】
【発明の効果】
以上述べたように、本発明によれば、内管の上端より所定の距離だけ上方の外管の鉛直部の内周面にリング状の分流具を設け、この分流具が外管の鉛直部の内周面に沿って流下した雨水を受けるリング状の凹溝と、凹溝の底部に周方向に並んで形成され凹溝内の雨水を集水桝に導く複数の通孔と、下方に向うに従って内径が小さくなるテーパ状に形成され凹溝からあふれた雨水を内管に導く内周壁とを備えたので、降雨初期の小雨時には屋根や屋上に積もった砂や塵埃を多く含む雨水が分流具の通孔を通って全て下水道管渠に流れ、貯留浸透桝の目詰まりや貯留槽への汚れた雨水の流入を防止できる。
また、降雨強度が大きくなると、分流具の凹溝からあふれた雨水が内周壁を伝わって内管に導かれ、貯留浸透桝に流入するので、下水道管渠や河川へのそれらの流下能力を越える雨水の流入を防止できる。
【００２９】
また、内管の上端より所定の距離だけ上方の外管の鉛直部の内周面にリング状の突起を設け、内管の上端より上方かつ突起より下方の外管の鉛直部の内周面にリング状の分流具を設ければ、外管内を流下する雨水が所定流量以上になると、雨水は突起にてジャンプしてスムーズに内管内に案内される。
また、分流具に通孔を周方向に横切るスリットを形成し、スリットに通孔の開孔率を調整可能な調整リングを回動可能に挿入すれば、分流具の通孔を通過する雨水の量を調整できるので、屋根や屋上に積もった砂や塵埃が流れた後も小雨が降り続いた場合、通孔の開孔率を小さくすることにより、凹部からあふれる雨水が増大し、これらの雨水が内周壁を伝わって内管に導かれ、貯留浸透桝又は貯留槽に流入する。
更に、分流具又は突起の上方の外管内に外管の内周面から隙間をあけて整流具を設け、整流具が雨水流路から外管に流入した雨水を外管の内周面に付着して流下させるように構成すれば、雨水流路と分流管との距離が短くても、雨水を外管の内周面に付着させることができる。この結果、外管内を流下する雨水を分流具又は突起により確実に分流することができる。
【図面の簡単な説明】
【図１】本発明第１実施例流下雨水の分流管を示す図５のＡ部拡大断面図。
【図２】図１のＢ−Ｂ線断面図。
【図３】図１のＣ−Ｃ線断面図。
【図４】図１のＤ−Ｄ線断面図。
【図５】その分流管の雨樋、集水桝及び貯留浸透桝への接続状態を示す構成図。
【図６】本発明の第２実施例を示す図１に対応する断面図。
【図７】本発明の第３実施例を示す図１に対応する断面図。
【符号の説明】
１１  雨樋（雨水流路）
１３，５３，７３  分流管
１４  集水桝
１５  雨水
１６  外管
１６ｄ  外管の鉛直部
１７  貯留浸透桝
１８  内管
２４  分流具
２４ａ  凹溝
２４ｂ  通孔
２４ｃ  内周壁
２４ｄ  スリット
２６  調整リング
２７  整流具
５１  突起
【図１】
0003596553.tif 000002
【図２】
0003596553.tif 000003
【図３】
0003596553.tif 000004
【図４】
0003596553.tif 000005
【図５】
0003596553.tif 000006
【図６】
0003596553.tif 000007
【図７】
0003596553.tif 000008